(57)【要約】【課題】本発明は、組み立てが容易で、コストが低く、且つ外観に優れたタッチ式マウスを提供することを目的とする。【解決手段】本発明に係るタッチ式マウスは、下部ケース及び該下部ケースに連接される上部ケースを備えるケースと、ケース内に設置されるセンサーと、制御器及び電気回路基板と、を備える。前記上部ケースは、感圧材料または感熱材料によって形成される感応部を備える。前記センサーは、前記感応部の材料特性変化を感知して電気信号を発生し、該電気信号を前記制御器に出力する。該制御器は、前記センサーからの電気信号に基づいて、対応する制御信号を発生し、電気回路基板を介して該制御信号を計算機に伝送する。【選択図】図１
2012238313.tif 000002
【特許請求の範囲】
【請求項１】
下部ケース及び前記下部ケースに連接される上部ケースを備えるケースと、前記ケース内に設置されるセンサーと、制御器及び電気回路基板と、を備えるタッチ式マウスにおいて、
前記上部ケースは、感圧材料または感熱材料によって形成される感応部を備え、
前記センサーは、前記感応部の材料特性変化を感知して電気信号を発生し、該電気信号を前記制御器に出力し、
前記制御器は、前記センサーからの電気信号に基づいて、対応する制御信号を発生し、前記電気回路基板を介して該制御信号を計算機に伝送することを特徴とするタッチ式マウス。
【請求項２】
前記感応部の材料は、抵抗式感圧材料、静電容量式感圧材料又は圧電式感圧材料であることを特徴とする請求項１に記載のタッチ式マウス。
【請求項３】
前記抵抗式感圧材料は、金属抵抗式感圧材料であることを特徴とする請求項２に記載のタッチ式マウス。
【請求項４】
前記感応部の材料は、抵抗式感熱材料であることを特徴とする請求項１に記載のタッチ式マウス。
【請求項５】
前記抵抗式感熱材料は、金属感熱材料又は半導体セラミック感熱材料であることを特徴とする請求項４に記載のタッチ式マウス。
【請求項６】
前記感応部は、第一感応部と、前記第一感応部と間隔をあけて並んで設置される第二感応部と、前記第一感応部と前記第二感応部との間に位置する第三感応部と、を備えることを特徴とする請求項１から５のいずれか一項に記載のタッチ式マウス。
【発明の詳細な説明】
【技術分野】
【０００１】
本発明は、マウスに関し、特にタッチ式マウスに関するものである。
【背景技術】
【０００２】
従来のマウスは、ケース、クリックボタン及び前記ケース内部に設置された内部回路等を備える。前記クリックボタンは、左クリックボタンと、右クリックボタン及び両者の間に設置されたホイールと、を含む。しかし、前記ケースと前記クリックボタンとはそれぞれ独立して設置されているので、マウスの組み立て過程は複雑であり、且つマウスの外観も乏しくなる。
【０００３】
上記の問題を解決するために、近年、タッチ式マウスが開発された。前記タッチ式マウスには、２層のＩＴＯ薄膜が用いられ、且つ前記２層のＩＴＯ薄膜の間には絶縁顆粒が設置されている。ユーザーが、前記タッチ式マウスにタッチすると、押圧力によって前記２層のＩＴＯ薄膜は互いに接触する。また、マウスの別の部分へタッチすると、これに伴い前記ＩＴＯ薄膜が接触する場所も変化する。従って、各々の接触点及び該各々の接触点での抵抗値が異なるので、タッチ位置が確定される。しかし、従来のタッチ式マウスは、その製造過程が複雑で、コストが高い。
【発明の概要】
【発明が解決しようとする課題】
【０００４】
以上の問題点に鑑みて、本発明は、組み立てが容易で、コストが低く、且つ外観に優れたタッチ式マウスを提供することを目的とする。
【課題を解決するための手段】
【０００５】
前記問題を解決するために、本発明に係るタッチ式マウスは、下部ケース及び該下部ケースに連接される上部ケースを備えるケースと、該ケース内に装着されるセンサーと、制御器及び電気回路基板と、を備える。前記上部ケースは、感圧材料または感熱材料によって形成される感応部を備える。前記センサーは、前記感応部の材料特性変化を感知して電気信号を発生し、該電気信号を前記制御器に出力する。前記制御器は、前記センサーからの電気信号に基づいて、対応する制御信号を発生し、電気回路基板を介して該制御信号を計算機に伝送する。
【発明の効果】
【０００６】
本発明に係るタッチ式マウスは、その感応部に感圧材料又は感熱材料を用い、センサーが、ユーザーの指が前記感応部にタッチされた時の前記感応部の材料特性変化を感知して電気信号を発生し、該電気信号を制御器に出力するので、マウスにクリックボタンを設置する必要はない。また、タッチ式マウスの組み立て過程は簡単であるため、外観を簡素化して向上できるだけでなく、製造コストも低い。
【図面の簡単な説明】
【０００７】
【図１】本発明に係るタッチ式マウスの斜視図である。
【図２】図１に示したタッチ式マウスの部分断面図である。
【発明を実施するための形態】
【０００８】
以下、図面に基づいて、本発明に係るタッチ式マウスについて詳細に説明する。
【０００９】
図１及び図２を参照すると、本発明に係るタッチ式マウス１００は、ケース１０、センサー３０、制御器５０及び電気回路基板７０を備える。前記センサー３０、前記制御器５０及び前記電気回路基板７０は、全て前記ケース１０内に設置される。
【００１０】
前記ケース１０は、下部ケース１１及び上部ケース１３を備える。前記下部ケース１１は、ほぼ平板状を呈し、且つアルミニウム合金、マグネシウム合金等のような金属、又はポリカーボネート（ＰＣ）等のようなプラスチックからなる。前記上部ケース１３は、前記下部ケース１１に連接される。前記上部ケース１３は、弧形の曲面を呈し、且つ支持部１３１及び感応部１３３を備える。前記支持部１３１は、従来のマウスの支持部のように、手のひらを支持する作用をする。
【００１１】
前記感応部１３３は、前記上部ケース１３の長さ方向の一端側に形成され、且つ第一感応部１３３１、第二感応部１３３３及び第三感応部１３３５を備える。前記第一感応部１３３１及び前記第二感応部１３３３は、間隔をあけて並んで設置され、前記第一感応部１３３１及び前記第二感応部１３３３の外表面には、その全体に弧状の凹部が形成されているので、ユーザーの指が該弧状の凹部でスライドしたり、押圧したりすることに便利である。また、前記第三感応部１３３５は、前記第一感応部１３３１と前記第二感応部１３３３との間に設置される。
【００１２】
前記マウスを使用する時、前記第一感応部１３３１は左クリックボタンとして作用し、前記第二感応部１３３３は右クリックボタンとして作用し、前記第三感応部１３３５は中央クリックボタン（即ち、ホイール）として作用する。前記感応部１３３の材料は、感圧材料又は感熱材料である。他の実施形態として、前記感応部１３３と前記支持部１３１とは一体に形成されることもできる。本実施形態において、前記感応部１３３には、金属抵抗感圧式材料を用いる。前記金属抵抗感圧式材料の抵抗値は、これらが受ける圧力に伴って変わる。また、前記感応部１３３には、静電容量式感圧材料、電圧式感圧材料又は抵抗式感熱材料を用いることもできる。前記抵抗式感熱材料は、金属感熱材料又は半導体セラミック感熱材料であり、前記金属感熱材料としては、アルミニウム（Ａｌ）、タングステン（Ｗ）又はレニウム・タングステン合金（Ｒｅ−Ｗ合金）等である。
【００１３】
前記センサー３０は、ユーザーが、前記第一感応部１３３１、前記第二感応部１３３３及び前記第三感応部１３３５にタッチした際の各々の例えば電気的特性変化（例えば、抵抗変化、静電容量変化、静電電荷変化又は電圧変化）のような各感応部を形成する材料における材料特性変化を感知して電気信号を発生し、該電気信号を前記制御器５０に出力する。前記制御器５０は、前記センサー３０からの電気信号に基づいて、対応する制御信号を発生し、前記電気回路基板７０を介して該制御信号を計算機（図示せず）に伝送する。
【００１４】
本実施形態において、ユーザーが、前記第一感応部１３３１又は前記第二感応部１３３３にタッチする、或いは不注意によるマウスへの接触が起こった場合、該それぞれの動作によって前記第一感応部１３３１又は前記第二感応部１３３３にかかる圧力は異なり、前記第一感応部１３３１又は前記第二感応部１３３３の抵抗値に変化が生じる。また、ユーザーが、指を前記第三感応部１３３５でスライドさせる時、スライドするユーザーの指と前記第三感応部１３３５との接触角度が変化するため、前記第三感応部１３３５が受ける圧力に変化が生じる。従って、前記第三感応部１３３５の抵抗値にも変化が生じる。その後、前記センサー３０が前記抵抗値変化を感知して電気信号を発生し、該電気信号を前記制御器５０に出力する。前記制御器５０は、前記センサー３０からの電気信号に基づいて、対応する制御信号を発生し、前記電気回路基板７０を介して該制御信号を計算機に伝送し、該計算機が対応する処理を行うように制御する。
【００１５】
また、前記感応部１３３に抵抗式感熱材料を用いた際、ユーザーが、前記第一感応部１３３１又は前記第二感応部１３３３にタッチする、或いは不注意によるマウスへの接触が起こった場合、該それぞれの動作により前記第一感応部１３３１又は前記第二感応部１３３３で生じる摩擦によって発生する熱量は異なるので、前記第一感応部１３３１又は前記第二感応部１３３３に温度変化が生じ、且つ抵抗値にも変化が生じる。また、ユーザーが指を前記第三感応部１３３５でスライドさせる時、スライドするユーザーの指と前記第三感応部１３３５との接触角度が変化するため、前記第三感応部１３３５との摩擦により発生する熱量も変化するので、前記第三感応部１３３５の抵抗値に変化が生じる。その後、前記センサー３０が前記抵抗値変化を感知して電気信号を発生し、該電気信号を前記制御器５０に出力する。前記制御器５０は、前記センサー３０からの電気信号に基づいて、対応する制御信号を発生し、前記電気回路基板７０を介して該制御信号を計算機に伝送して、該計算機が対応する処理を行うように制御する。
【００１６】
本発明に係るタッチ式マウス１００は、その前記感応部１３３に、感圧材料又は感熱材料を用い、前記センサー３０が、ユーザーの指が前記感応部１３３にタッチした際の前記感応部１３３の材料特性変化を感知して電気信号を発生し、該電気信号を前記制御器５０に出力するので、マウスにクリックボタンを設置する必要はない。また、本発明に係るタッチ式マウス１００の組み立て過程は簡単であるため、外観を簡素化して向上できるだけでなく、製造コストも低い。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１８】
１００  タッチ式マウス
１０  ケース
１１  下部ケース
１３  上部ケース
１３１  支持部
１３３  感応部
１３３１  第一感応部
１３３３  第二感応部
１３３５  第三感応部
３０  センサー
５０  制御器
７０  電気回路基板
【図１】
2012238313.tif 000003
【図２】
2012238313.tif 000004